【手続補正書】
【提出日】平成18年2月23日(2006.2.23)
【手続補正１】
【補正対象書類名】明細書
【補正対象項目名】発明の名称
【補正方法】変更
【補正の内容】
【発明の名称】画像形成装置及び端末装置
【手続補正２】
【補正対象書類名】明細書
【補正対象項目名】特許請求の範囲
【補正方法】変更
【補正の内容】
【特許請求の範囲】
【請求項１】
印刷出力対象の出力データ及びユーザの第１の認証情報が記憶された記憶媒体を接続するためのインターフェイス部と、
ユーザの第２の認証情報を入力する認証情報入力部と、
前記第１のユーザの認証情報及び前記第２の認証情報に基づいて、ユーザの認証を行う制御部と、
前記制御部によりユーザが認証されると、前記記憶媒体に記憶された出力データの印刷出力を行う出力部と、
を備えることを特徴とする画像形成装置。
【請求項２】
原稿面から画像データを読み取る画像読取部と、
ユーザの第１の認証情報が記憶された記憶媒体を接続するためのインターフェイス部と、
ユーザの第２の認証情報を入力する認証情報入力部と、
前記第１の認証情報及び前記第２の認証情報に基づいてユーザの認証を行い、当該ユーザが認証されると、前記読み取られた画像データを前記記憶媒体に記憶させる制御部と、
を備えることを特徴とする画像形成装置。
【請求項３】
前記認証情報入力部は、印刷出力の開始を指示入力するためのスタートキーの指接触部分に設けられた指紋読取装置により構成されることを特徴とする請求項１又は２に記載の画像形成装置。
【請求項４】
ユーザ毎に印刷枚数を管理するための印刷管理テーブルを記憶する記憶部を備え、
前記制御部は、印刷出力する毎にユーザ認証を行い、当該認証されたユーザの印刷枚数を前記印刷管理テーブルに加算して印刷管理することを特徴とする請求項１〜３の何れか一項に記載の画像形成装置。
【請求項５】
前記制御部による印刷管理の際に行われるユーザ認証は、パスワードによる第１の認証方法と、前記第１のユーザの認証情報を用いた第２の認証方法とのうち、どちらか一方の認証方法を選択可能であることを特徴とする請求項４に記載の画像形成装置。
【請求項６】
前記記憶媒体は、セキュリティキーであることを特徴とする請求項１〜５の何れか一項に記載の画像形成装置。
【請求項７】
印刷出力対象の出力データを記憶する記憶部と、
ユーザの第１の認証情報が記憶された記憶媒体を接続するためのインターフェイス部と、
ユーザの第２の認証情報を入力する認証情報入力部と、
前記第１の認証情報及び第２の認証情報に基づいてユーザの認証を行い、当該ユーザが認証されると、前記記憶部に記憶された前記出力データを前記記憶媒体に記憶させる制御部と、
を備えることを特徴とする端末装置。
【請求項８】
前記認証情報入力部は、指紋読取装置により構成されることを特徴とする請求項７に記載の端末装置。
【請求項９】
前記記憶媒体は、セキュリティキーであることを特徴とする請求項７又は８に記載の端末装置。
【手続補正３】
【補正対象書類名】明細書
【補正対象項目名】０００１
【補正方法】変更
【補正の内容】
【０００１】
【発明の属する技術分野】
本発明は、入力データに基づいて印刷出力を行うファクシミリ装置、プリンタ、複写機又はこれらの複合機（以下、画像形成装置という。）、端末装置に関する。
【手続補正４】
【補正対象書類名】明細書
【補正対象項目名】００１０
【補正方法】変更
【補正の内容】
【００１０】
【課題を解決するための手段】
請求項１に記載の発明は、画像形成装置において、
印刷出力対象の出力データ及びユーザの第１の認証情報が記憶された記憶媒体を接続するためのインターフェイス部と、
ユーザの第２の認証情報を入力する認証情報入力部と、
前記第１の認証情報及び前記第２の認証情報に基づいて、ユーザの認証を行う制御部と、
前記制御部によりユーザが認証されると、前記記憶媒体に記憶された出力データの印刷出力を行う出力部と、
を備えることを特徴とする。
【手続補正５】
【補正対象書類名】明細書
【補正対象項目名】００１１
【補正方法】変更
【補正の内容】
【００１１】
請求項１に記載の発明によれば、記憶媒体に記憶されたユーザの第１の認証情報を用いてユーザの認証を行い、ユーザが認証されると、記憶媒体に記憶された出力データを印刷出力するので、印刷出力したいデータを記憶媒体に保存し、当該記憶媒体を画像形成装置に接続することで、セキュリティが低い通信ネットワークを経由することなく、データを印刷出力することができ、データの機密性を確保することができる。また、画像形成装置において認証された正規のユーザのみが印刷出力できるとともに、その認証情報としてユーザの個人情報を画像形成装置に登録しておく必要がないため、個人情報が漏洩する危険性がない。従って、画像形成装置のセキュリティを向上させることができる。
【手続補正６】
【補正対象書類名】明細書
【補正対象項目名】００１２
【補正方法】変更
【補正の内容】
【００１２】
請求項２に記載の発明は、画像形成装置において、
原稿面から画像データを読み取る画像読取部と、
ユーザの第１の認証情報が記憶された記憶媒体を接続するためのインターフェイス部と、
ユーザの第２の認証情報を入力する認証情報入力部と、
前記第１のユーザの認証情報及び前記第２の認証情報に基づいてユーザの認証を行い、当該ユーザが認証されると、前記読み取られた画像データを前記記憶媒体に記憶させる制御部と、
を備えることを特徴とする。
【手続補正７】
【補正対象書類名】明細書
【補正対象項目名】００１３
【補正方法】変更
【補正の内容】
【００１３】
請求項２に記載の発明によれば、記憶媒体に記憶されているユーザの第１の認証情報を用いてユーザを認証し、ユーザが認証されると、原稿から読み取られた画像データを記憶媒体に保存するので、機密性の高い書類から読み取った画像データを記憶媒体に保存してユーザ端末等の他の外部装置に接続することにより、通信ネットワークを経由することなく画像データを他の外部装置に入力することができ、データの機密性を確保することができる。また、認証された正規のユーザのみが記憶媒体にデータを保存することができるとともに、その認証情報としてユーザの個人情報を画像形成装置に登録しておく必要がないため、個人情報が漏洩する危険性がない。従って、画像形成装置のセキュリティを向上させることができる。
【手続補正８】
【補正対象書類名】明細書
【補正対象項目名】００１８
【補正方法】変更
【補正の内容】
【００１８】
請求項５に記載の発明は、請求項４に記載の画像形成装置において、
前記制御部による印刷管理の際に行われるユーザ認証は、パスワードによる第１の認証方法と、前記第１のユーザの認証情報を用いた第２の認証方法とのうち、どちらか一方の認証方法を選択可能であることを特徴とする。
【手続補正９】
【補正対象書類名】明細書
【補正対象項目名】００２１
【補正方法】変更
【補正の内容】
【００２１】
請求項６に記載の発明によれば、ユーザ端末や他の外部装置においても使用可能なセキュリティキーによる認証方法を適用することにより、各装置間で一貫した認証方法でセキュリティを確保することができる。
請求項７に記載の発明は、端末装置において、
印刷出力対象の出力データを記憶する記憶部と、
ユーザの第１の認証情報が記憶された記憶媒体を接続するためのインターフェイス部と、
ユーザの第２の認証情報を入力する認証情報入力部と、
前記第１の認証情報及び第２の認証情報に基づいてユーザの認証を行い、当該ユーザが認証されると、前記記憶部に記憶された前記出力データを前記記憶媒体に記憶させる制御部と、
を備えることを特徴とする。
請求項７に記載の発明によれば、記憶媒体に記憶されているユーザの第１の認証情報を用いてユーザを認証し、ユーザが認証されると、出力データを記憶媒体に保存するので、機密性の高い出力データを記憶媒体に保存して他の外部装置に接続することにより、通信ネットワークを経由することなく出力データを他の外部装置に入力することができ、データの機密性を確保することができる。また、認証された正規のユーザのみが記憶媒体にデータを保存することができるとともに、その認証情報としてユーザの個人情報を端末装置に登録しておく必要がないため、個人情報が漏洩する危険性がない。従って、端末装置のセキュリティを向上させることができる。
請求項８に記載の発明は、請求項７に記載の端末装置において、
前記認証情報入力部は、指紋読取装置により構成されることを特徴とする。
請求項８に記載の発明によれば、ユーザの認証情報として指紋情報を適用することができる。
請求項９に記載の発明は、請求項７又は８に記載の端末装置において、
前記記憶媒体は、セキュリティキーであることを特徴とする。
請求項９に記載の発明によれば、ユーザ端末や他の外部装置においても使用可能なセキュリティキーによる認証方法を適用することにより、各装置間で一貫した認証方法でセキュリティを確保することができる。
【手続補正１０】
【補正対象書類名】明細書
【補正対象項目名】００９１
【補正方法】変更
【補正の内容】
【００９１】
ユーザは、データが保存されたセキュリティキー２０を持ってユーザが所有するユーザ端末１０にセキュリティキー２０を接続してデータをユーザ端末１０に転送することもできるし、異なる場所に設置されている画像形成装置３０に接続して印刷出力することもできる。
【手続補正１１】
【補正対象書類名】明細書
【補正対象項目名】０１０３
【補正方法】変更
【補正の内容】
【０１０３】
【発明の効果】
請求項１に記載の発明によれば、記憶媒体に記憶されたユーザの第１の認証情報を用いてユーザの認証を行い、ユーザが認証されると、記憶媒体に記憶された出力データを印刷出力するので、印刷出力したいデータを記憶媒体に保存し、当該記憶媒体を画像形成装置に接続することで、セキュリティが低い通信ネットワークを経由することなく、データを印刷出力することができ、データの機密性を確保することができる。また、画像形成装置において認証された正規のユーザのみが印刷出力できるとともに、その認証情報としてユーザの個人情報を画像形成装置に登録しておく必要がないため、個人情報が漏洩する危険性がない。従って、画像形成装置のセキュリティを向上させることができる。
【手続補正１２】
【補正対象書類名】明細書
【補正対象項目名】０１０４
【補正方法】変更
【補正の内容】
【０１０４】
請求項２に記載の発明によれば、記憶媒体に記憶されているユーザの第１の認証情報を用いてユーザを認証し、ユーザが認証されると、原稿から読み取られた画像データを記憶媒体に保存するので、機密性の高い書類から読み取った画像データを記憶媒体に保存してユーザ端末等の他の外部装置に接続することにより、通信ネットワークを経由することなく画像データを他の外部装置に入力することができ、データの機密性を確保することができる。また、認証された正規のユーザのみが記憶媒体にデータを保存することができるとともに、その認証情報としてユーザの個人情報を画像形成装置に登録しておく必要がないため、個人情報が漏洩する危険性がない。従って、画像形成装置のセキュリティを向上させることができる。
【手続補正１３】
【補正対象書類名】明細書
【補正対象項目名】０１０８
【補正方法】変更
【補正の内容】
【０１０８】
請求項６に記載の発明によれば、ユーザ端末や他の外部装置においても使用可能なセキュリティキーによる認証方法を適用することにより、各装置間で一貫した認証方法でセキュリティを確保することができる。
請求項７に記載の発明によれば、記憶媒体に記憶されているユーザの第１の認証情報を用いてユーザを認証し、ユーザが認証されると、出力データを記憶媒体に保存するので、機密性の高い出力データを記憶媒体に保存して他の外部装置に接続することにより、通信ネットワークを経由することなく出力データを他の外部装置に入力することができ、データの機密性を確保することができる。また、認証された正規のユーザのみが記憶媒体にデータを保存することができるとともに、その認証情報としてユーザの個人情報を端末装置に登録しておく必要がないため、個人情報が漏洩する危険性がない。従って、端末装置のセキュリティを向上させることができる。
請求項８に記載の発明によれば、ユーザの認証情報として指紋情報を適用することができる。
請求項９に記載の発明によれば、ユーザ端末や他の外部装置においても使用可能なセキュリティキーによる認証方法を適用することにより、各装置間で一貫した認証方法でセキュリティを確保することができる。
【手続補正１４】
【補正対象書類名】明細書
【補正対象項目名】符号の説明
【補正方法】変更
【補正の内容】
【符号の説明】
１００    印刷出力システム
１０    ユーザ端末
１０ａ    指紋読取装置
１１    制御部
１２    入力部
１３    表示部
１４    通信部
１５    ＲＡＭ
１６    記憶部
１７    Ｉ／Ｆ部
２０    セキュリティキー
３０    画像形成装置
３１    制御部
３２    入力部
３０ａ    認証情報入力部
３３    表示部
３４    記憶部
３４１    印刷管理テーブル
３５    通信部
３６    画像読取部
３７    画像メモリ
３８    出力部
３９    Ｉ／Ｆ部